(57)【特許請求の範囲】
【請求項１】
扁平な直方体形の組込みケーシングを有するタコグラフであって、表示装置と、運転者に関連したデータカードの挿入及び取出しを前面で行うための手段と、機能制御及びタコグラフのメモリ内容の呼出しのためのキーと、帯状の印刷担体が使用される印刷装置とを備えた形式のものにおいて、
タコグラフ（１）の前壁（２）の部材（１０）と、印刷機構（２６）と、帯巻体（４３）のための収容部（４２）とが、１つの印刷機構造ユニット（２１）を形成するように組み合わされており、該印刷機構造ユニット（２１）がタコグラフ（１）から少なくとも部分的に引出し可能であるように、前記印刷機構造ユニット（２１）がタコグラフ（１）内にシフト可能に支承されており、収容部（４２）が、底部（４４）にばね弾性的に一体成形された、帯巻体（４３）を支承するための支承脚部（４５）を備えたシェルとして形成されていることを特徴とする、扁平な直方体形の組込みケーシングを有するタコグラフ。
【請求項２】
帯巻体（４３）のための収容部（４２）が、印刷機構造ユニット（２１）を支持するフランジプレート（３１）に一体成形されている、請求項１記載のタコグラフ。
【請求項３】
フランジプレート（３１）に対して直角に且つ該フランジプレート（３１）にほぼ側方整合するように、フランジプレート（３１）にガイドレール（４０，４１）が形成されている、請求項２記載のタコグラフ。
【請求項４】
前壁部材（１０）が、印刷担体（３８）の貫通案内に使用される、少なくとも１つのスリット（１１）を有しており、前記前壁部材（１０）に、印刷担体（３８）に対応配置されたガイド手段（７０，７１，７２）が形成されており、フランジプレート（３１）に前記前壁部材（１０）を固定するための手段が設けられている、請求項１記載のタコグラフ。
【請求項５】
前壁部材（１０）に少なくとも１つのキー（１３，１４，１５，１６，１７）が支承されており、該キー（１３，１４，１５，１６，１７）に対応したコンタクトが、前記前壁部材（１０）の背面側に結合されたプリント配線板（２２）に設けられている、請求項４記載のタコグラフ。
【請求項６】
印刷機構造ユニット（２１）を支承するために、入れ子式に作用結合しているガイド手段（４０，４１，５３，５４，５５，５６）が設けられている、請求項１記載のタコグラフ。
【請求項７】
収容部（４２）の一方の壁が、印刷機構造ユニット（２１）がシフト可能なことに基づき必要とされる、タコグラフ（１）の前壁（２）に設けられた開口（９）を、帯巻体（４３）の交換時に十分にカバーするように形成されている、請求項１記載のタコグラフ。
【請求項８】
印刷機構造ユニット（２１）に係止・係止解除装置が対応配置されており、前壁部材（１０）が操作エレメントとして使用される、請求項１記載のタコグラフ。
【請求項９】
印刷機構造ユニット（２１）に、係止・係止解除装置として双安定性を有する係止伝動装置が対応配置されている、請求項１記載のタコグラフ。
【発明の詳細な説明】
【０００１】
【発明の属する技術分野】
本発明は、扁平な直方体形の組込みケーシングを有するタコグラフであって、表示装置と、運転者に関連したデータカードの挿入及び取出しを前面で行うための手段と、機能制御及びタコグラフのメモリ内容の呼出しのためのキーと、帯状の印刷担体が使用される印刷装置とを備えた形式のものに関する。
【０００２】
【従来の技術】
このような形式の装置コンセプトにおいて印刷装置は、組込みケーシングを扁平に形成するという点では不都合な、大きな構造スペースを必要とする。
【０００３】
更に、タコグラフの一般的な組込み箇所が計器パネル、少なくとも運転者の触覚域にあり、また、タコグラフが前壁とほぼ同一平面上に組み込まれるという事実に基づき、冒頭で述べた形式の印刷装置へのアクセス性の問題が、特に、適当に形成され得る収容部への帯巻体の挿入及び印刷装置のガイド・搬送手段への手繰り込み時の帯巻体始端部の操作に関して生じる。タコグラフの前壁において表示装置が観察可能で、機能キーが操作され且つデータカード用の穴がアクセス可能でなければならないことに基づき、上で述べた構造的な問題が付加的に増大される。
【０００４】
【発明が解決しようとする課題】
従って本発明の課題は、冒頭で述べた形式のタコグラフを改良して、操作要件を満たし且つタコグラフにとって一般的な、できるだけ僅かな構成部材コストと環境に適した高品質とを伴う大量生産を可能にする印刷装置を提供することである。
【０００５】
【課題を解決するための手段】
この課題を解決するために本発明では、タコグラフの前壁の部材と、印刷機構と、帯巻体のための収容部とが、１つの印刷機構造ユニットを形成するように組み合わされており、該印刷機構造ユニットがタコグラフから少なくとも部分的に引出し可能であるように、前記印刷機構造ユニットがタコグラフ内にシフト可能に支承されており、収容部が、底部にばね弾性的に一体成形された、帯巻体を支承するための支承脚部を備えたシェルとして形成されているようにした。
【０００６】
本発明の別の有利な構成は、請求項２以下に記載されている。
【０００７】
【発明の効果】
本発明の重要な利点は、本来の印刷機構と、帯巻体用の収容部と、タコグラフの前壁部材とから、タコグラフ内でシフト可能に支承されたコンパクトな印刷機構造ユニットが形成されているという点に見られる。この印刷機構造ユニットは、帯巻体を挿入するために、印刷機構と帯巻体用の収容部との間の相対運動を必要としない。提案されたこの印刷機構造ユニットは、使用者に向かって位置調整された表示装置を備えた、容易に解離しないように完全に組み込まれたケーシングにおいて、設けられた収容部内への帯巻体の容易な挿入及び主として上側からの帯巻体始端部の巻き込みを可能にする。この場合、収容部にアクセスするためには、湾曲された構造形態に基づき、印刷機構造ユニットの比較的短い行程が必要となるに過ぎない。つまり、収容部と一体に製作されたフランジプレート及び前壁部材間の緊定による印刷機構の固定が、最小構造長さを提供する。更にこの構造形態は、帯巻体と裂断エッジとの間の比較的短い帯巻体区分を可能にする。このことは、帯巻体の手繰り込みを容易にし且つ湿気により生ぜしめられる帯巻体の伸長を減少させる。
【０００８】
更に利点を述べると、印刷機構造ユニットは、該印刷機構造ユニットがタコグラフの前面構成部の前面に組み込まれているように形成されている。更に前壁部材が付加的にキーボードとして形成されていて、印刷担体に対応配置された複数のガイド手段が設けられている。このガイド手段は、圧着・搬送ローラとアウトプット用スリットとの間の、外部からはアクセス不能な区分内を、帯巻体始端部が妨害されずに貫通移動できるようにする。収容部とフランジプレートとガイドレールとを、射出成形技術を用いて製作された単一の構成部材として形成することにより、特に部品の多様性及び組立て時間が著しく減少されている。
【０００９】
【発明の実施の形態】
以下に、本発明の実施の形態を図面につき詳しく説明する。
【００１０】
図１に示したように、当該タコグラフ１は、直方体形の組込みケーシングを有しており、この組込みケーシングの前面は、遮蔽板、若しくは機能構造ユニットを形成するように設けられ且つ組込みケーシングに適当に結合された前壁２によって形成される。この前壁２には、タコグラフ１に対応配置された表示装置４のための窓枠３が形成され、キー５及びメニューキー６が支承されており、運転手Ｉ；ＩＩに対応したデータカードのインプットに使用される開口７，８が設けられている。更に図１から判るように、前壁２には切欠き９が設けられており、この切欠き９は、以下前壁部材１０と呼ぶ遮蔽板によってカバーされている。この場合、前壁部材１０は形状的に、特に前面が整合するように、タコグラフ１の前面に嵌め込まれている。前壁部材１０は、以下に詳しく説明する印刷機構造ユニットの一構成部材であり、従って有利には帯状の印刷担体を通過させるためのスリット１１が設けられている。このスリット１１は、前壁部材１０の前面との協働において裂断エッジを形成する。
【００１１】
印刷担体のマガジンロール若しくは帯巻体を挿入するためには、印刷機構造ユニットがタコグラフ１内でシフト可能に支承されていて、適当な係止装置と協働する。この場合、この目的のために十分大きな自由面若しくはキー面１２を備えた前壁部材１０全体が、操作するためのキーとして、つまり係止装置の係止を解除するために働く。更に前壁部材１０には複数のキー１３，１４，１５，１６，１７が支承されているので、前壁部材１０は同時にキーボードとしても形成されている。
【００１２】
表示装置４は、主として最も重要な就労時間データの表示に使用される。当該値を呼び出すためには、運転者Ｉ，ＩＩにキー１３，１５、並びにメニューキー６が対応している。キー１４，１６は、呼び出された就労時間データに関して検出されたデータレコードにおける「前送り及び後戻し」のために使用される。キー５によって、各運転者データカードがキー１３；１５との協働において、取出しのために解放される。キー１７によって印刷過程及びレコードのアウトプットが発動される。やはり前壁部材１０に形成されたコネクタベース１８は、例えばＰＣを接続するために使用される。別のコネクタベースにはカバー１９が設けられており、このカバー１９は、封印部２０によって保護されている。このコネクタベースは、診断・パラメータ化の目的で使用するために設けられている。
【００１３】
図２に示した分解図では、印刷機構造ユニット全体が符号２１で示されている。更に図２には前壁部材１０が示されており、この前壁部材１０には、スリット１１と、キー１３，１４，１５，１６，１７を貫通させるための複数の開口（詳細には図示せず）とが形成されている。前壁部材１０は、複数のねじ（これらのねじの内の１つを符号２３で示した）を用いてプリント配線板２２を、キー１３，１４，１５，１６，１７を有するキーマット２４を介して前壁部材１０の内側に固定することにより、キーボードを形成可能である。この場合、前壁部材１０の内側には、キーマット２４の整合及び保持のために働く輪郭が加工成形されており、プリント配線板２２には、適当な導体路を有する、少なくともキー１３，１４，１５，１６，１７に対応したコンタクト面が形成されている。これらのコンタクト面は便宜上図示しない。図２では、プリント配線板２２に対応した電気的な接続も、やはり図示を省いた。前壁部材１０にフランジ締結可能な、市販の印刷機構２６のケーシング２５に形成されたスリット２７は、プリント配線板２２に対応配置されたフラットベルトケーブルを貫通案内するための通路を成している。符号２８で、ケーシング２５に設けられた貫通孔が示されており、この貫通孔２８には、前壁部材１０に形成されたねじ山付きピン２９が対応している。同じ目的、つまり前壁部材１０と印刷機構２６のケーシング２５との相互整合のためには、図２では見えない別のねじ山付きピンが使用される。このねじ山付きピンには、ケーシング２５に設けられた切欠き３０が対応している。前壁部材１０と印刷機構２６との接合は、ねじ３２，３３，３４を使用して、前壁部材１０をフランジプレート３１にねじ締結することにより行われる。この場合、印刷機構２６とフランジプレート３１との間の整合手段として働く、互いに対応配置された付加部と凹部（図示せず）とが係合状態にもたらされる。符号３５で、フランジプレート３１に設けられたスリットが示されており、このスリット３５は、プリント配線板２２に対応配置されたフラットベルトケーブルを貫通案内するためにも、印刷機構２６に接続された線路を貫通案内するためにも使用される。ケーシング２５に形成されたギャップ３６；３７は、印刷機構２６に関して、印刷担体３８のための入口・出口開口を成している。符号３９で示されたレバーは、印刷担体３８の手繰り込み時に、圧着・搬送ローラから印刷ヘッド、有利には熱印刷ヘッドを持ち上げるために使用される。
【００１４】
更に図２から判るように、フランジプレート３１には、ガイドレール４０，４１と、印刷担体の帯巻体４３のための、ほぼシェルとして形成された収容部４２とが、共に直接に一体成形されている。この場合、帯巻体４３は、収容部４２の底部４４にばね弾性的に形成された支承脚部（これらの支承脚部の内の１つが図２に符号４５で示されている）の間に支承されている。支承脚部４５に、適当に球形に成形された「支承ピン」が設けられていると有利である。これらの支承ピンは、帯巻体４３のスリーブ状の巻心棒に係合し且つ帯巻体４３を単に突入係合させるだけで組込み可能にする。収容部４２に一体成形された壁４６は、タコグラフ１から印刷機構造ユニット２１が引き出されたときにこの壁４６がシールドとして働くように、つまり、切欠き９を十分にカバーして、帯巻体４３を挿入する間にタコグラフ１内へ汚れが侵入するのを阻止するように形成されている。更に図２から判るように、ガイドレール４１にはロック部材４７が一体成形されており、このロック部材４７は、引き出された状態の印刷機構造ユニット２１のためにストッパとして働く。符号４８を付して示した切換部材は、印刷機構造ユニット２１を係止するために設けられている。この切換部材は例えば、タコグラフ１のケーシング内に定置に配置されてばね弾性的に支承されたハートカムと、ガイドレール４０に形成されてセンタリングピン（図示せず）を備えたコンソール５０に作用する圧縮ばね４９と協働して、双安定性を有する係止伝動装置が形成される。
【００１５】
更に強調したいのは、フランジプレート３１と、収容部４２と、ほぼＨ字形成形部として形成されたガイドレール４０，４１とが、比較的剛性を有する単一の構成部材を形成することである。ガイドレール４０，４１に互いに向かい合うように形成された溝（図２にそれぞれ符号５１；５２を付して示した）は、タコグラフ１に定置に配置された、ほぼＣ字形に成形された保持レール（図３にこれらの保持レールの内の１つを符号５３を付して示した）のために、ガイド手段として働く。対を成してガイドレール４０，４１に配置された連行ピン５４，５５は、印刷機構造ユニット２１の入れ子式の支承のために設けられており且つ一緒に走行する中間レール５６（図３）に作用結合している。タコグラフ１の組込みケーシングのカバーは符号５７で、側壁は符号５８で示されており、この側壁５８に一方の保持レール５３が固定されている。平行に位置する第２の保持レールには、組込みケーシングの底部に結合された、耐屈撓性の複数の支持体が対応配置されている。図３には、これらの支持体の内の１つが符号５９で示されている。上で述べた第２の保持レールには、アーム６０が一体成形されており、このアーム６０はストッパとして働き、図３に示したように、印刷機構造ユニット２１の図示の位置においてロック部材４７と協働する。更に図３から、切欠き９が、印刷機構造ユニット２１の引出し時には、壁４６と、やはり収容部４２に一体成形されたエプロン６１の両方によってカバーされていることが判る。エプロン６１は、このエプロン６１に適当な開口を形成することにより、線路束６２のための保持部として付加的に使用される。この線路束６２は、既に述べた、プリント配線板２２に接続コネクタ６３を介して接触接続されたフラットベルトケーブル６４と、印刷ヘッド６６の印刷エレメントを制御するための、有利にはフラットベルトケーブル６５と、印刷担体３８の搬送に使用されるモータ（図示せず）の電力供給のための線路６７と、印刷担体３８の搬送を監視する複数のセンサ（図示せず）のための線路とを有している。符号６８で、収容部４２の底部４４にばね弾性的に一体成形された舌片が示されている。この舌片６８は、印刷機構造ユニット２１の挿入時に、タコグラフ１内部で印刷機構造ユニット２１を適当にせき止めるために、引張力軽減に役立つ。この場合、引張力は複数の手段（図示せず）に関連している。既に述べたように、旋回可能に支承された印刷ヘッド６６は、印刷担体３８の手繰り込みのために、レバー３９によって圧着・搬送ローラ６９から持ち上げることができる。圧着・搬送ローラ６９は、所定の運転機構（図示せず）を介して、既に述べた印刷機構２６のケーシング２５に配置されたモータによって駆動される。念のために述べると、前壁部材１０には複数のガイド手段が形成されており、これらのガイド手段は、印刷担体３８の手繰り込み時に不可欠な、帯巻体始端部のスリット１１への自動的な位置調整を保証する。この場合、これらのガイド手段は、平行に加工成形された薄板列７０，７１及び側方ガイド７２である。即ち本発明は、帯巻体４３の挿入時における十分に良好な操作性を提供する。本発明は、自由に使用可能な構造スペースで間に合わせられ、大量生産に適しており且つタコグラフ１の前面構成部に見栄え良く組み込まれる。
【図面の簡単な説明】
【図１】本発明によるタコグラフを正面から見た図である。
【図２】印刷機構造ユニットの分解図である。
【図３】図１に示したタコグラフを、引き出された印刷機構造ユニットと一緒に部分的に断面して側方から見た図である。
【符号の説明】
１  タコグラフ、  ２  前壁、  ３  窓枠、  ４  表示装置、  ５  キー、  ６  メニューキー、  ７，８  開口、  ９  切欠き、  １０  前壁部材、  １１スリット、  １２  キー面、  １３，１４，１５，１６，１７  キー、  １８コネクタベース、  １９  カバー、  ２０  封印部、  ２１  印刷機構造ユニット、  ２２  プリント配線板、  ２３  ねじ、  ２４  キーマット、  ２５  ケーシング、  ２６  印刷機構、  ２７  スリット、  ２８  貫通孔、  ２９  ねじ山付きピン、  ３０  切欠き、  ３１  フランジプレート、  ３２，３３，３４  ねじ、  ３５  スリット、  ３６，３７  ギャップ、  ３８  印刷担体、３９  レバー、  ４０，４１  ガイドレール、  ４２  収容部、  ４３  帯巻体、  ４４  底部、  ４５  支承脚部、  ４６  壁、  ４７  ロック部材、  ４８  切換部材、  ４９  圧縮ばね、  ５０  コンソール、  ５１，５２  溝、  ５３  保持レール、  ５４，５５  連行ピン、  ５６  中間レール、  ５７  カバー、  ５８  側壁、  ５９  支持体、  ６０  アーム、  ６１  エプロン、  ６２  線路束、  ６３  接続コネクタ、  ６４，６５  フラットベルトケーブル、  ６６  印刷ヘッド、  ６７  線路、  ６８  舌片、  ６９  搬送ローラ、  ７０，７１  薄板列、  ７２  側方ガイド
【図１】
0004184505.tif 000002
【図２】
0004184505.tif 000003
【図３】
0004184505.tif 000004